(57)【要約】【課題】本発明は、ポップノイズを除去でき且つコストが低い静音駆動回路を提供する。【解決手段】ＡＣ電源を入れると、マイクロコントロールユニットの入出力ポートは低レベルの電圧を維持し、ＮＰＮトランジスタは遮断され、マナーモードを実行し、電子装置を起動すると、入出力ポートから出力された電圧は、ソフトウェアによって制御され、低レベルの電圧を維持した後、高レベルの電圧を維持し、ＮＰＮトランジスタは遮断された後導通し、静音回路はマナーモードを実行した後解除され、シャットダウンする時、出力された電圧はソフトウェアによって制御されて低レベルの電圧を維持し、ＮＰＮトランジスタは遮断され、マナーモードを実行し、ＡＣ電源を切る時、システム電圧は高レベルの電圧であり、入出力ポートは低レベルの電圧であり、ＮＰＮトランジスタは遮断され、マナーモードを実行する。【選択図】図１
2013187902.tif 000002
【特許請求の範囲】
【請求項１】
マイクロコントロールユニットと、ＮＰＮトランジスタと、及び静音回路と、を備える静音駆動回路であって、
前記マイクロコントロールユニットは、入出力ポートを備え、
前記静音回路は、制御端を備え、
前記制御端が高レベルの電圧である場合、マナーモードを実行し、
前記静音回路の制御端が低レベルの電圧である場合、マナーモードを解除し、
前記入出力ポートから低レベルの電圧が出力された場合、前記ＮＰＮトランジスタは遮断され、前記静音回路の制御端はシステム電圧に接続されて高レベルの電圧になり、
前記入出力ポートから高レベルの電圧が出力された場合、前記ＮＰＮトランジスタは導通され、前記静音回路の制御端は接地されて低レベルの電圧になり、
ＡＣ電源を入れると、前記システム電圧は印加され、前記入出力ポートは低レベルの電圧を維持し、前記ＮＰＮトランジスタは遮断され、前記静音回路の制御端は高レベルの電圧になり、前記静音回路は、マナーモードを実行し、
電子装置を起動する時、前記入出力ポートから出力された電圧は、前記マイクロコントロールユニットによってソフトウェアで制御されて、一定時間低レベルの電圧を維持した後、高レベルの電圧を維持し、即ち、制御端は高レベルの電圧を一定時間維持した後、再度低レベルの電圧を維持し、この時、静音回路は一定時間マナーモードを実行した後、マナーモードを解除し、
電子装置をシャットダウンする時、出力された電圧は、前記マイクロコントロールユニットによってソフトウェアで制御されて低レベルの電圧を維持し、前記ＮＰＮトランジスタは遮断され、前記静音回路の制御端は高レベルの電圧を維持し、前記静音回路はマナーモードを実行し、
前記ＡＣ電源を切る時、前記入出力ポートから出力された電圧を下げる速度は、前記システム電圧を下げる速度より遥かに速いため、前記システム電圧は高レベルの電圧であり、前記入出力ポートは低レベルの電圧であり、前記ＮＰＮトランジスタは遮断され、前記静音回路の制御端は高レベルの電圧を維持し、前記静音回路はマナーモードを実行することを特徴とする静音駆動回路。
【請求項２】
前記ＮＰＮトランジスタのベース電極は、第一分圧抵抗によってマイクロコントロールユニットの入出力ポートに接続され且つ第二分圧抵抗によって接地され、前記ＮＰＮトランジスタのエミッタは、接地され、前記ＮＰＮトランジスタのコレクタ電極は、電流制限抵抗によって、システム電圧Ｖｃｃに接続され、またこの時、電極ＮＰＮトランジスタのコレクタ電極は、直接静音回路に接続され、静音回路の制御端Ｏとなることを特徴とする請求項１に記載の静音駆動回路。
【請求項３】
前記入出力ポートは、ＧＰＲＯであることを特徴とする請求項１又は２に記載の静音駆動回路。
【請求項４】
前記ＡＣ電源を切る過程において、システム電圧が０．７Ｖより高い場合、高レベルの電圧であり、前記入出力ポートは低レベルの電圧であることを特徴とする請求項１から３のいずれか１項に記載の静音駆動回路。
【発明の詳細な説明】
【技術分野】
【０００１】
本発明は、静音駆動回路に関するものである。
【背景技術】
【０００２】
従来のＭＰ３、携帯電話等のようなマルチメディア電子製品は、電源を起動／シャットダウンする時に、電圧が不安定であるため、不快なポップノイズが発生する。そのため、既知のポップノイズを除去する方法としては、電源に接続された蓄電回路を内蔵し、電圧が突如上がった時又は下がった時に、徐々に電気エネルギーを放出することで、一定時間、前記電子製品をマナーモードに維持して、ポップノイズを除去する。しかし、蓄電回路は、２つのトランジスタ及び１つの電解コンデンサが必要であるため、コストが高い。
【発明の概要】
【発明が解決しようとする課題】
【０００３】
本発明の目的は、前記課題を解決するために、ポップノイズを除去することができ且つコストが低い静音駆動回路を提供することである。
【課題を解決するための手段】
【０００４】
前記目的を達成するため、本発明に係る静音駆動回路は、マイクロコントロールユニットと、ＮＰＮトランジスタと、静音回路と、を備える。前記マイクロコントロールユニットは、静音駆動回路であって、前記マイクロコントロールユニットは、入出力ポートを備え、前記静音回路は、制御端を備え、前記制御端が高レベルの電圧である場合、マナーモードを実行し、前記静音回路の制御端が低レベルの電圧である場合、マナーモードを解除し、前記入出力ポートから低レベルの電圧が出力された場合、前記ＮＰＮトランジスタは遮断され、前記静音回路の制御端はシステム電圧に接続されて高レベルの電圧になり、前記入出力ポートから高レベルの電圧が出力された場合、前記ＮＰＮトランジスタは導通され、前記静音回路の制御端は接地されて低レベルの電圧になり、ＡＣ電源を入れると、前記システム電圧は印加され、前記入出力ポートは低レベルの電圧を維持し、前記ＮＰＮトランジスタは遮断され、前記静音回路の制御端は高レベルの電圧になり、前記静音回路は、マナーモードを実行し、電子装置を起動する時、前記入出力ポートから出力された電圧は、前記マイクロコントロールユニットによってソフトウェアで制御されて、一定時間低レベルの電圧を維持した後、高レベルの電圧を維持し、即ち、制御端は高レベルの電圧を一定時間維持した後、再度低レベルの電圧を維持し、この時、静音回路は一定時間マナーモードを実行した後、マナーモードを解除し、電子装置をシャットダウンする時、出力された電圧は、前記マイクロコントロールユニットによってソフトウェアで制御されて低レベルの電圧を維持し、前記ＮＰＮトランジスタは遮断され、前記静音回路の制御端は高レベルの電圧を維持し、前記静音回路はマナーモードを実行し、前記ＡＣ電源を切る時、前記入出力ポートから出力された電圧を下げる速度は、前記システム電圧を下げる速度より遥かに速いため、前記システム電圧は高レベルの電圧であり、前記入出力ポートは低レベルの電圧であり、前記ＮＰＮトランジスタは遮断され、前記静音回路の制御端は高レベルの電圧を維持し、前記静音回路はマナーモードを実行する。
【発明の効果】
【０００５】
本発明の静音駆動回路は、電子装置の起動／シャットダウン及びＡＣ電源を切る／入れる時に、ソフトウェアによって静音回路のマナーモードを実行するため、ポップノイズを除去することができる。従って、蓄電回路を必要とせず、コストを下げることができる。
【図面の簡単な説明】
【０００６】
【図１】本発明の実施形態に係る静音駆動回路の回路図である。
【発明を実施するための形態】
【０００７】
以下、図面を参照して、本発明の実施形態について説明する。
【０００８】
図１は、本発明の実施形態に係る静音駆動回路１０の回路図である。静音駆動回路１０は、左右両方のサウンドチャンネルによって、音声を再生する電子装置に応用される。例えば、ＤＶＤ再生装置、ＭＰ３再生装置等である。静音駆動回路１０は、マイクロコントロールユニット（ＭＣＵ）１２と、ＮＰＮトランジスタ１４と、静音回路１６と、第一分圧抵抗１８１と、第二分圧抵抗１８２と、電流制限抵抗１８３と、を備える。
【０００９】
マイクロコントロールユニット１２は、入出力ポート（Ｉ／ＯＰＯＲＴ）１２２を備える。入出力ポート１２２は、ＧＰＲＯポートである。ＡＣ電源を入れると、システム電圧Ｖｃｃは印加され、入出力ポート１２２は低レベルの電圧を維持する。また、電子装置を起動すると、入出力ポート１２２から出力された電圧は、マイクロコントロールユニット１２によって、ソフトウェアで制御され、一定時間低レベルの電圧を維持した後、高レベルの電圧を維持する。電子装置をシャットダウンする時も、入出力ポート１２２から出力された電圧は、マイクロコントロールユニット１２によって、ソフトウェアで制御されて、低レベルの電圧を維持する。ＡＣ電源を切る時、入出力ポート１２２から出力された電圧を下げる速度は、システム電圧Ｖｃｃを下げる速度より遥かに速い。これにより、ＡＣ電源を切る過程において、システム電圧Ｖｃｃは高レベルの電圧であり、入出力ポート１２２の電圧は低レベルの電圧である。この時、ＡＣ電源を切る過程において、システム電圧Ｖｃｃが０．７Ｖより高い場合、高レベルの電圧と見なし、入出力ポート１２２は低レベルの電圧であると見なすことができる。
【００１０】
ＮＰＮトランジスタ１４のベース電極は、第一分圧抵抗１８１によって、マイクロコントロールユニット１２の入出力ポート１２２に接続され且つ第二分圧抵抗１８２によって接地される。ＮＰＮトランジスタ１４のエミッタは接地される。ＮＰＮトランジスタ１４のコレクタ電極は、電流制限抵抗１８３によって、システム電圧Ｖｃｃに接続される。またこの時、電極ＮＰＮトランジスタ１４のコレクタ電極は、直接静音回路１６に接続され、静音回路１６の制御端Ｏとなる。
【００１１】
入出力ポート１２２から低レベルの電圧が出力された場合、ＮＰＮトランジスタ１４は遮断され、静音回路１６の制御端Ｏはシステム電圧Ｖｃｃに接続される。即ち、高レベルの電圧である。入出力ポート１２２から高レベルの電圧が出力された場合、ＮＰＮトランジスタ１４は導通され、静音回路１６の制御端Ｏは接地される。即ち、低レベルの電圧である。
【００１２】
静音回路１６の制御端Ｏが高レベルの電圧である場合、マナーモードが実行され、静音回路１６の制御端Ｏが低レベルの電圧である場合、マナーモードは解除される。
【００１３】
ＡＣ電源を入れると、入出力ポート１２２は低レベルの電圧を維持する。即ち、制御端Ｏは高レベルの電圧を維持し、静音回路１６はマナーモードを実行する。電子装置が起動すると、入出力ポート１２２から出力された電圧は、マイクロコントロールユニット１２によって、ソフトウェアで制御され、一定時間低レベルの電圧を維持した後、高レベルの電圧を維持する。即ち、制御端Ｏは高レベルの電圧を一定時間維持した後、再度低レベルの電圧を維持し、この時、静音回路１６は一定時間マナーモードを実行した後、マナーモードを解除する。電子装置をシャットダウンする時、出力された電圧は、マイクロコントロールユニット１２によってソフトウェアで制御されて低レベルの電圧を維持する。即ち、制御端Ｏは高レベルの電圧を維持し、静音回路１６はマナーモードを実行する。ＡＣ電源を切ると、システム電圧Ｖｃｃは高レベルの電圧になり、入出力ポート１２２は低レベルの電圧になる。即ち、制御端Ｏは高レベルの電圧になり、静音回路１６はマナーモードを実行する。
【００１４】
本発明の静音駆動回路１０は、電子装置の起動／シャットダウン及びＡＣ電源を切る／入れる時に、ソフトウェアによって静音回路１６のマナーモードを実行するため、ポップノイズを除去することができる。従って、蓄電回路を必要とせず、コストを下げることができる。
【００１５】
以上、本発明を実施例に基づいて具体的に説明したが、本発明は、上述の実施例に限定されるものではなく、その要旨を逸脱しない範囲において、種々の変更が可能であることは勿論であって、本発明の保護範囲は、以下の特許請求の範囲から決まる。
【符号の説明】
【００１６】
１０  静音駆動回路
１２  マイクロコントロールユニット
１４  ＮＰＮトランジスタ
１６  静音回路
１２２  入出力ポート
１８１  第一分圧抵抗
１８２  第二分圧抵抗
１８３  電流制限抵抗
Ｖｃｃ  システム電圧
Ｏ  制御端
【図１】
2013187902.tif 000003